(57)【要約】【課題】本印刷に近いスクリーン処理条件で処理された画像をカラープリンタで出力する。【解決手段】スクリーン条件判定手段２１が、多値画像データと該多値画像データをスクリーン処理するための処理条件とを取得し、該多値画像データを該処理条件に従ってスクリーン処理して生成された２値画像データに基づく画像を画像出力部２０２が出力可能か否かを該処理条件を用いて判定し、出力可能であると判定された場合には前記処理条件を実施条件とし、出力可能でないと判定された場合には前記処理条件を前記画像出力部２０２が出力可能な画像を表す２値画像データを出力するように前記処理条件を変更して実施条件とする。【選択図】        図２
2005007753.tif 000002
【特許請求の範囲】
【請求項１】
２値画像データに基づく画像を出力する画像出力部と、
多値画像データと該多値画像データをスクリーン処理するための処理条件とを取得し、該多値画像データを該処理条件に従ってスクリーン処理して生成された２値画像データに基づく画像を前記画像出力部が出力可能か否かを該処理条件を用いて判定し、出力可能であると判定された場合には前記処理条件を実施条件とし、出力可能でないと判定された場合には前記処理条件を前記画像出力部が出力可能な画像を表す２値画像データを出力するように前記処理条件を変更して実施条件とするスクリーン条件判定手段と、
前記多値画像データをラスタデータ形式に変換して出力するラスタ処理手段と、
前記ラスタデータ形式の多値画像データに色変換を施した後、前記実施条件に従ってスクリーン処理して２値画像データを生成するスクリーン処理手段と
を備えることを特徴とするカラー画像出力装置。
【請求項２】
前記実施条件に従ったスクリーン処理を前記スクリーン処理手段が実行可能か否かを判定し、実行可能でない場合には該実施条件および前記多値画像データを該実施条件に従ったスクリーン処理を実行可能な装置へ転送し、該装置によりスクリーン処理を施されて生成された２値画像データを受信する転送手段を備える
ことを特徴とする請求項１に記載のカラー画像出力装置。
【請求項３】
前記実施条件に従ったスクリーン処理を前記スクリーン処理手段が実行可能か否かを判定し、実行可能でない場合には該実施条件を前記スクリーン処理手段が実行可能なように変更するスクリーン条件変更手段を備える
ことを特徴とする請求項１に記載のカラー画像出力装置。
【請求項４】
前記スクリーン条件変更手段は、予め定められた優先順に従って、スクリーン処理条件の判定を行う
ことを特徴とする請求項３に記載のカラー画像出力装置。
【請求項５】
前記カラー画像出力装置は、カラープリンタである
ことを特徴とする請求項１乃至４に記載のカラー画像出力装置。
【請求項６】
前記カラープリンタは、電子写真方式のカラープリンタである
ことを特徴とする請求項５に記載のカラー画像出力装置。
【請求項７】
コンピュータ装置に、
多値画像データと該多値画像データをスクリーン処理するための処理条件とを取得し、該多値画像データを該処理条件に従ってスクリーン処理して生成された２値画像データに基づく画像を画像出力部が出力可能か否かを該処理条件を用いて判定し、出力可能であると判定された場合には前記処理条件を実施条件とし、出力可能でないと判定された場合には前記処理条件を前記画像出力部が出力可能な画像を表す２値画像データを出力するように前記処理条件を変更して実施条件とするスクリーン条件判定ステップと、
前記多値画像データをラスタデータ形式に変換して出力するラスタ処理ステップと、
前記ラスタデータ形式の多値画像データに色変換を施した後、前記実施条件に従ってスクリーン処理して２値画像データを生成するスクリーン処理ステップと
を実行させるためのプログラム。
【発明の詳細な説明】
【０００１】
【発明の属する技術分野】
本発明は、ある画像出力装置向けに作成された画像データを出力特性の異なる別の画像出力装置に出力する技術に関する。
【０００２】
【従来の技術】
従来、印刷の色校正の方法としては、製版用に作製されたフィルムを用いる方法が主流であった。しかし、デジタル製版機を用いて画像データから直接製版を行うＣＴＰ（Ｃｏｍｐｕｔｅｒ  ｔｏ  Ｐｌａｔｅ）の普及に伴い、製版用２値画像データを用いて校正刷りを出力して色校正に使用したいという要望が高まった。この要望に応える技術として、ＤＤＣＰ（Ｄｉｒｅｃｔ  Ｄｉｇｉｔａｌ  Ｃｏｌｏｒ  Ｐｒｏｏｆ）があるが、高価な専用機を使用するため、ユーザの経済的負担が重くなるという問題がある。
【０００３】
これに対して、ユーザが既に保有しているカラープリンタに画像データを入力して校正刷りを出力できれば便利である。しかしながら、一般にカラープリンタは、本印刷で使用する印刷機と色の出力特性が異なるため、色校正には適さないとされている。この問題を解決するために、カラープリンタによる出力画像の色調を本印刷の印刷物の色調に一致させるように、カラープリンタに与える画像データを調整する色補正が行われる。具体的には、まず、カラープリンタに測色用パッチの画像データを入力して、測色用パッチの画像を出力させる。次に、分光測光器を用いて、カラープリンタから出力された測色用パッチの側色値を求める。この側色値と印刷機で印刷した測色用パッチの側色値とを比較し、カラープリンタに与えられる画像データに施すべき色変換に使用する色変換用処理係数を求める。この色変換用処理係数を用いて画像データの色変換を行い、色変換後の画像データをカラープリンタに与えることにより、印刷機で印刷したのと同様の色調を持った画像がカラープリンタから出力される。このようにして、カラープリンタで出力した校正刷りを用いた色校正が可能となる。
【０００４】
２値画像データの色補正に関しては、種々の技術が提案されている。特許文献１に記載の技術では、２値画像データを多値化し、色補正等の画像処理を行った後、誤差拡散を施して２値画像データを出力することによって、２値画像データに対する色補正の実現を図っている。特許文献２に記載の技術では、２値画像データにソフトフォーカスフィルタ処理を施して多値化し、当該多値画像データの色補正を行った後、誤差拡散を施して２値画像データを出力する。これによって、網点情報を残したままの色補正の実現を図っている。
【０００５】
【特許文献１】
特許第２８７７３５６号公報
【特許文献２】
国際公開第０２／３０１０３号パンフレット
【０００６】
【発明が解決しようとする課題】
ところで、上記の従来技術において、製版用２値画像データの生成の際に施されるスクリーン処理の処理条件如何によっては、カラープリンタがそのスクリーン処理条件に従って画像を出力することができない場合もある。例えば、一般にカラープリンタで出力可能なスクリーン線数は２００ｌｐｉ（ｌｉｎｅ  ｐｅｒ  ｉｎｃｈ）以下であり、製版用２値画像データがこれを超えるスクリーン線数で生成されている場合にカラープリンタはそれを画像として出力することができない。
【０００７】
本発明は上述した事情に鑑みてなされたものであり、その目的は、カラープリンタが対応していないスクリーン処理条件が与えられた場合であっても、カラープリンタによる校正刷りの出力を可能にすることにある。
【０００８】
【課題を解決するための手段】
上述の課題を解決するために、本発明は、２値画像データに基づく画像を出力する画像出力部と、多値画像データと該多値画像データをスクリーン処理するための処理条件とを取得し、該多値画像データを該処理条件に従ってスクリーン処理して生成された２値画像データに基づく画像を前記画像出力部が出力可能か否かを該処理条件を用いて判定し、出力可能であると判定された場合には前記処理条件を実施条件とし、出力可能でないと判定された場合には前記処理条件を前記画像出力部が出力可能な画像を表す２値画像データを出力するように前記処理条件を変更して実施条件とするスクリーン条件判定手段と、前記多値画像データをラスタデータ形式に変換して出力するラスタ処理手段と、前記ラスタデータ形式の多値画像データに色変換を施した後、前記実施条件に従ってスクリーン処理して２値画像データを生成するスクリーン処理手段とを備えることを特徴とするカラー画像出力装置を提供する。
【０００９】
また、本発明によれば、コンピュータ装置に、多値画像データと該多値画像データをスクリーン処理するための処理条件とを取得し、該多値画像データを該処理条件に従ってスクリーン処理して生成された２値画像データに基づく画像を画像出力部が出力可能か否かを該処理条件を用いて判定し、出力可能であると判定された場合には前記処理条件を実施条件とし、出力可能でないと判定された場合には前記処理条件を前記画像出力部が出力可能な画像を表す２値画像データを出力するように前記処理条件を変更して実施条件とするスクリーン条件判定ステップと、前記多値画像データをラスタデータ形式に変換して出力するラスタ処理ステップと、前記ラスタデータ形式の多値画像データに色変換を施した後、前記実施条件に従ってスクリーン処理して２値画像データを生成するスクリーン処理ステップとを実行させるためのプログラムを提供する。
【００１０】
本発明によれば、スクリーン条件判定手段が、多値画像データと該多値画像データをスクリーン処理するための処理条件とを取得し、該多値画像データを該処理条件に従ってスクリーン処理して生成された２値画像データに基づく画像を前記画像出力部が出力可能か否かを該処理条件を用いて判定し、出力可能であると判定された場合には前記処理条件を実施条件とし、出力可能でないと判定された場合には前記処理条件を前記画像出力部が出力可能な画像を表す２値画像データを出力するように前記処理条件を変更して実施条件とする。次にラスタ処理手段が、前記多値画像データをラスタデータ形式に変換して出力する。次に、スクリーン処理手段が、前記ラスタデータ形式の多値画像データに色変換を施した後、前記実施条件に従ってスクリーン処理して２値画像データを生成する。
【００１１】
【発明の実施の形態】
以下、図面を参照して、本発明の実施の形態について説明する。
（１．第１実施形態）
（１−１．構成）
図１は、本発明の第１実施形態にかかる構成を示す図である。図１に示す構成では、クライアント装置１０、カラープリンタ２０、ＲＩＰサーバ４０および製版機５０がＬＡＮ（Ｌｏｃａｌ  Ａｒｅａ  Ｎｅｔｗｏｒｋ）２を介して接続されている。
【００１２】
クライアント装置１０は、通常のハードウェア構成を有するコンピュータであり、ＬＡＮ２経由で他の装置との間でデータの授受を行う。クライアント装置１０は、画像データのファイル名や処理条件等の入力を促す入力画面を表示し、オペレータは、キーボードおよびマウス（図示省略）を駆使してそれらのデータの入力を行うことができる。
【００１３】
ＲＩＰサーバ４０は、Ｐｏｓｔ  Ｓｃｒｉｐｔなどのページ記述言語で記述されたベクトルデータを取得し、ベクトルデータをラスタデータに変換し、スクリーン処理を施して製版用２値画像データを生成する。本実施形態におけるＲＩＰサーバ４０は、解像度２４００ｄｐｉ（ｄｏｔ  ｐｅｒ  ｉｎｃｈ）の製版用２値画像データを生成することができる。また、これ以外の解像度を選択することも可能である。このＲＩＰサーバ４０によって生成される製版用２値画像データは、例えばＴＩＦＦ（Ｔａｇｇｅｄ  Ｉｍａｇｅ  Ｆｉｌｅ  Ｆｏｒｍａｔ）形式の画像データであり、スクリーン処理条件および解像度情報が内包、あるいは付随している。
【００１４】
カラープリンタ２０は、ＲＩＰサーバ４０により作成された製版用２値画像データを取得して校正刷りを出力するために用いられる。
本実施形態では、この校正刷りを用いて、ＲＩＰサーバ４０が出力する製版用２値画像データの校正が行われる。
【００１５】
製版機５０は、この校正済みの製版用２値画像データをＲＩＰサーバ４０から受け取り、これに基づいて、直接、版材に露光して刷版を作製するデジタル製版機である。
印刷機６０は、製版機５０により作製された刷版を用いて、多色刷りの印刷を行う。
【００１６】
次にカラープリンタ２０の構成について説明する。図１に示すように、カラープリンタ２０は、コントローラ２０１と画像出力部２０２から構成されている。ここで、画像出力部２０２はコントローラ２０１による制御を受けて画像出力を行う電子写真方式の画像出力装置である。この画像出力部２０２は、ＲＩＰサーバ４０と同じ解像度（ここでは、２４００ｄｐｉ）の画像を出力することができる。また、画像出力部２０２は、２００ｌｐｉ（ｌｉｎｅ  ｐｅｒ  ｉｎｃｈ）を越える高線数のＡＭ（Ａｍｐｌｉｔｕｄｅ  Ｍｏｄｕｌａｔｉｏｎ）スクリーン処理には対応していないものとする。
【００１７】
コントローラ２０１の構成を図２に示す。ＣＰＵ（Ｃｅｎｔｒａｌ  Ｐｒｏｃｅｓｓｉｎｇ  Ｕｎｉｔ）３０は、ＲＯＭ（Ｒｅａｄ  Ｏｎｌｙ  Ｍｅｍｏｒｙ）３１に記憶されているプログラムを実行することにより、画像出力部２０２により校正刷りを生成するための制御を行う。ＲＡＭ（Ｒａｎｄｏｍ  Ａｃｃｅｓｓ  Ｍｅｍｏｒｙ）３２は、その際のワークエリアとして使用される。
【００１８】
送受信部３３は、ＣＰＵ３０による制御の下、ＬＡＮ２に接続された他の装置との間でデータの送受信を行う。
記憶手段３４は、ハードディスクドライブ等の大容量記憶装置である。
スクリーン条件判定手段２１、ラスタ処理手段２２およびスクリーン処理手段２３は、校正刷りを生成するためにＣＰＵ３０によって実行されるソフトウェアモジュールである。以下、これらの機能について説明する。
【００１９】
スクリーン条件判定手段２１は、スクリーン処理条件（スクリーンタイプ、スクリーン線数）を取得し、このスクリーン処理条件に従って生成された画像データに基づく画像がカラープリンタ２０で出力可能か否かを判定するモジュールである。
【００２０】
ラスタ処理手段２２は、ベクトルデータ形式の多値画像データをカラープリンタ２０で出力可能な解像度のラスタデータ形式の多値画像データに変換して出力するモジュールである。
【００２１】
スクリーン処理手段２３は、色変換係数を用いてラスタデータ形式の多値画像データに色変換を施した後、スクリーン条件判定手段２１から受け取った実施条件に従ってスクリーン処理を施し、プリンタ用２値画像データを出力するモジュールである。ここで、色変換係数は、印刷機６０の出力特性に対するカラープリンタ２０の出力特性の差異に基づいて予め求められ、記憶手段３４に格納されている。色変換係数は、例えば特開２００２−１５２５４３号公報に開示されている方法を用いて作成することができる。
なお、以上のモジュールをハードウェアによって構成し、ＣＰＵ３０がこれらのモジュールの制御を行うことにより、校正刷り出力のための処理を進めるようにしてもよい。
【００２２】
（１−２．動作）
上記の構成によって実現される動作について説明する。なお、本実施形態においては、カラープリンタ２０は、２００ｌｐｉ（ｌｉｎｅ  ｐｅｒ  ｉｎｃｈ）を越える高線数のＡＭ（Ａｍｐｌｉｔｕｄｅ  Ｍｏｄｕｌａｔｉｏｎ）スクリーン処理には対応していないものとする。校正刷りを得ようとする多値画像データＤ１は、予め記憶手段３４に格納されている。
【００２３】
最初に、オペレータが、クライアント装置１０に、校正刷りを得ようとする多値画像データＤ１のファイル名およびスクリーン処理条件を入力すると、多値画像データＤ１の出力指示がクライアント装置１０からカラープリンタ２０へ送信される。
【００２４】
カラープリンタ２０のＣＰＵ３０は、送受信部３３を介してクライアント装置１０からの出力指示を受け取ると、図３にフローを示すプログラムを実行する。
まず、ＣＰＵ３０は、クライアント装置１０から多値画像データＤ１およびスクリーン処理条件を受信し（ステップＳ１１）、スクリーン処理条件をスクリーン条件判定手段２１に引き渡す。
次にＣＰＵ３０は、取得されたスクリーン処理条件に関する判定を行う。まず、ＣＰＵ３０は、スクリーンタイプを判定する（ステップＳ１２）。そして、スクリーンタイプがＡＭスクリーンである場合、ＣＰＵ３０は、スクリーン線数を判定する（ステップＳ１４）。ここで、スクリーン線数が２００ｌｐｉ以下である場合には、多値画像データＤ１は画像出力部２０２で出力可能であるから、スクリーン条件を変更することなく、ラスタ処置およびスクリーン処理を行えばよい。従って、この場合には、ＣＰＵ３０は、多値画像データＤ１をラスタ処理手段２２に引き渡す。多値画像データＤ１がラスタ処理手段２２に引き渡された後の処理（ステップＳ１６以降）については後述する。
【００２５】
一方、ステップＳ１２において、スクリーンタイプがＡＭスクリーンでないと判定された場合には、スクリーンタイプを誤差拡散によるＦＭスクリーンに変更する（ステップＳ１３）。
また、ステップＳ１２においてスクリーンタイプがＡＭであり、かつ、ステップＳ１４においてスクリーン線数が２００ｌｐｉを超えると判定された場合には、スクリーン線数を２００ｌｐｉに変更する（ステップＳ１５）。
以上のようにして、多値画像データＤ１に対して施されるスクリーン処理の処理条件が決定される。決定された処理条件をここでは実施条件と呼ぶ。
【００２６】
ステップＳ１６では、ＣＰＵ３０が、多値画像データＤ１をラスタ処理手段２２に引き渡す。ラスタ処理手段２２は、多値画像データＤ１がベクトルデータ形式である場合、多値画像データＤ１をカラープリンタ２０で出力可能な解像度のラスタデータ形式の多値画像データＤ２に変換して出力する。一方、多値画像データＤ１がラスタデータ形式である場合、多値画像データＤ１をカラープリンタ２０で出力可能な解像度の多値画像データＤ２に変換して出力する。
【００２７】
次に、ＣＰＵ３０は、多値画像データＤ２をスクリーン処理手段２３に引き渡す。スクリーン処理手段２３は、色変換係数を用いて多値画像データＤ２に色変換を施した後、スクリーン条件判定手段２１から受け取った実施条件に従ってスクリーン処理を施し、プリンタ用２値画像データＤ３を出力する。この動作例において、画像出力部２０２は、スクリーンタイプがＡＭスクリーンまたは誤差拡散ＦＭスクリーン、スクリーン線数が２００ｌｐｉ以下、スクリーン角度は任意の角度、という範囲の条件でスクリーン処理の施された２値画像データであれば出力可能である。従って、スクリーン処理手段２３は、この範囲内において製版用２値画像データＤ１に施されたスクリーン処理の条件に最も近いものを選択し、選択した条件に従って、多値画像データＤ２のスクリーン処理を行うのである。
【００２８】
ＣＰＵ３０は、スクリーン処理手段２３によりプリンタ用２値画像データＤ３が生成されると（ステップＳ１７）、生成されたプリンタ用２値画像データＤ３を画像出力部２０２に引き渡す。画像出力部２０２では、このプリンタ用２値画像データＤ３に基づいて校正刷りが出力される。
【００２９】
本実施形態によれば、多値画像データＤ１に施されるスクリーン処理の条件が画像出力部２０２で出力可能でない条件である場合でも、多値画像データＤ１をカラープリンタ２０に入力して、印刷機６０による印刷物に近いスクリーン処理条件で画像を出力することが可能となる。
【００３０】
（２．第２実施形態）
（２−１．構成）
図４は、本発明の第２実施形態にかかる構成を示す図である。第１実施形態と共通の構成要素については、同一の符号を付している。第１実施形態にかかる構成と異なる点は以下のとおりである。
図４に示すように、カラープリンタ２０ａは、コントローラ２０１ａと画像出力部２０２から構成される。図５に示すように、コントローラ２０１ａは、転送手段２４を備える他は、第１実施形態におけるコントローラ２０１と同様の構成を有する。転送手段２４は、画像出力部２０２で出力可能なように変更されたスクリーン処理条件、すなわち実施条件が、カラープリンタ２０ａのスクリーン処理手段２３で実行可能な条件であるか否かを判定するモジュールである。スクリーン処理手段２３で実行可能でないと判定された場合には、実施条件および多値画像データＤ１を送受信部３３を介してＲＩＰサーバ４０へ転送する。ＲＩＰサーバ４０によりスクリーン処理を施されて生成された２値画像データＤ２はカラープリンタ２０ａへ供給される。
【００３１】
（２−２．動作）
上記の構成によって実現される動作について説明する。校正刷りを得ようとする多値画像データＤ１は、予め記憶手段３４に格納されている。
【００３２】
最初に、オペレータが、クライアント装置１０に、校正刷りを得ようとする多値画像データＤ１のファイル名およびスクリーン処理条件を入力すると、多値画像データＤ１の出力指示がクライアント装置１０からカラープリンタ２０ａへ送信される。
【００３３】
カラープリンタ２０ａのＣＰＵ３０は、送受信部３３を介してクライアント装置１０からの出力指示を受け取ると、図６にフローを示すプログラムを実行する。
ステップＳ１１からＳ１５までの動作は、第１実施形態と共通である。ステップＳ２１では、ステップＳ１４またはステップＳ１５を経て決定された実施条件が、スクリーン処理手段２３が実行可能な条件であるか否かをＣＰＵ３０が判定する。スクリーン処理手段２３で実行可能であると判定された場合には、ステップＳ１６へ進む。一方、スクリーン処理手段２３で実行可能でないと判定された場合には、実施条件、多値画像データＤ１および色変換係数をＲＩＰサーバ４０へ引き渡す（ステップＳ２２）。
【００３４】
ＲＩＰサーバ４０では、カラープリンタ２０ａから供給された多値画像データＤ１がベクトルデータである場合には、多値画像データＤ１をラスタデータ化して、カラープリンタ２０ａで出力可能な解像度の多値画像データＤ１ａに変換して出力する。一方、多値画像データＤ１がラスタデータである場合には、多値画像データＤ１を、カラープリンタ２０ａで出力可能な解像度の多値画像データＤ１ａに変換して出力する。
【００３５】
次に、ＲＩＰサーバ４０はカラープリンタ２０ａから受け取った色変換係数を用いて、多値画像データＤ１またはＤ１ａに色変換を施す。そして、ＲＩＰサーバ４０は、カラープリンタ２０ａから受け取った実施条件に従って色変換後の多値画像データにスクリーン処理を施し、２値画像データＤ２を生成する。
ＲＩＰサーバ４０によって生成された２値画像データＤ２は、ＲＩＰサーバ４０からカラープリンタ２０ａに供給される。
【００３６】
本実施形態によれば、多値画像データＤ１に施されるスクリーン処理の条件が画像出力部２０２で出力可能でない条件である場合でも、多値画像データＤ１をカラープリンタ２０ａに入力して、印刷機６０による印刷物に近いスクリーン処理条件で画像を出力することが可能となる。また、カラープリンタで実行可能でないスクリーン処理条件の場合であっても、ＲＩＰサーバにスクリーン処理を行わせることにより、印刷機６０による印刷物に近いスクリーン処理条件で画像を出力することが可能となる。
【００３７】
（３．第３実施形態）
（３−１．構成）
図７は、本発明の第２実施形態にかかる構成を示す図である。第１実施形態と共通の構成要素については、同一の符号を付している。第１実施形態にかかる構成と異なる点は以下のとおりである。
図７に示すように、カラープリンタ２０ｂは、コントローラ２０１ｂと画像出力部２０２から構成される。図８に示すように、コントローラ２０１ｂは、スクリーン条件変更手段２５を備える他は、第１実施形態におけるコントローラ２０１と同様の構成を有する。スクリーン条件変更手段２５は、画像出力部２０２で出力可能なようにスクリーン処理条件を変更するモジュールである。
【００３８】
（３−２．動作）
上記の構成によって実現される動作について説明する。校正刷りを得ようとする多値画像データＤ１は、予め記憶手段３４に格納されている。
【００３９】
最初に、オペレータが、クライアント装置１０に、校正刷りを得ようとする多値画像データＤ１のファイル名およびスクリーン処理条件を入力すると、多値画像データＤ１の出力指示がクライアント装置１０からカラープリンタ２０ｂへ送信される。
【００４０】
カラープリンタ２０ｂのＣＰＵ３０は、送受信部３３を介してクライアント装置１０からの出力指示を受け取ると、図９にフローを示すプログラムを実行する。
ステップＳ１１からＳ１４までの動作は、第１実施形態と共通である。ステップＳ３１からステップＳ３８では、クライアント装置１０から取得されたスクリーン処理条件がスクリーン条件変更手段２５に引き渡される。スクリーン条件変更手段２５では、ＣＰＵ３０が、スクリーン処理条件がスクリーン処理手段２３で実行可能な条件であるか否かを判定し、実行可能でないと判定された場合には実行可能な条件に変更する。
【００４１】
ステップＳ３１では、ＣＰＵ３０が、クライアント装置１０から取得されたスクリーン線数がスクリーン処理手段２３で実行可能であるか否かを判定する。実行可能である場合には、スクリーン線数を変更せずにステップＳ３３へ進む。一方、実行可能でない場合には、スクリーン処理手段２３で実行可能な範囲内で、クライアント装置１０から取得されたスクリーン線数に最も近い線数に変更し、ステップＳ３３へ進む。例えば、スクリーン処理手段２３で実行可能な線数が１５０ｌｐｉおよび１９０ｌｐｉであり、クライアント装置１０から取得されたスクリーン線数が１７５ｌｐｉである場合には、１９０ｌｐｉに決定される。
【００４２】
ステップＳ３３では、ＣＰＵ３０が、クライアント装置１０から取得されたスクリーン角度がスクリーン処理手段２３で実行可能であるか否かを判定する。実行可能である場合には、スクリーン角度を変更せずにステップＳ３５へ進む。一方、実行可能でない場合には、スクリーン処理手段２３で実行可能な範囲内で、クライアント装置１０から取得されたスクリーン角度に最も近い角度に変更し、ステップＳ３５へ進む。
【００４３】
ステップＳ３５では、ＣＰＵ３０が、クライアント装置１０から取得されたスポット形状がスクリーン処理手段２３で実行可能であるか否かを判定する。実行可能である場合には、スポット形状を変更せずにステップＳ３７へ進む。一方、実行可能でない場合には、スクリーン処理手段２３で実行可能な範囲内で、クライアント装置１０から取得されたスポット形状に最も近い形状に変更し、ステップＳ３７へ進む。
【００４４】
ステップＳ３７では、ＣＰＵ３０が、クライアント装置１０から取得されたスクリーンファミリがスクリーン処理手段２３で実行可能であるか否かを判定する。スクリーンファミリとは、スクリーン処理を行う際に指定可能なオプション項目である。例えば、ＡＭスクリーンの場合には、ＡＭスクリーンの一種である有理正接スクリーンを用いる、などの指定が可能である。実行可能である場合には、スクリーンファミリを変更せずにステップＳ１６へ進む。一方、実行可能でない場合には、スクリーン処理手段２３で実行可能なスクリーンファミリに変更し、ステップＳ１６へ進む。
以上のようにして、多値画像データＤ１に対して施されるスクリーン処理の処理条件が決定される。
ステップＳ１６以降の処理は、第１実施形態と同様である。
【００４５】
本実施形態によれば、多値画像データＤ１に施されるスクリーン処理の条件が画像出力部２０２で出力可能でない条件である場合でも、多値画像データＤ１をカラープリンタ２０ｂに入力して、印刷機６０による印刷物に近いスクリーン処理条件で画像を出力することが可能となる。また、カラープリンタで実行可能でないスクリーン処理条件の場合であっても、カラープリンタで実行可能範囲内で、最も近い条件に変更することにより、印刷機６０による印刷物に近いスクリーン処理を施した画像を出力することが可能となる。
【００４６】
（４．変形例）
以上説明した形態に限らず、本発明は種々の形態で実施可能である。例えば、上述の実施形態を以下のように変形した形態でも実施可能である。
【００４７】
上述したＣＰＵが実行するプログラムを外部のサーバに記憶させておき、インターネット等の通信網経由で外部のサーバからこのプログラムをダウンロードするように本発明を変形してもよい。また、プログラムを外部のサーバに記憶させておき、多値画像データを当該サーバへ通信網経由で送信し、このサーバに上述のプログラムを実行させることによってプリンタ用２値画像データを生成するように本発明を変形してもよい。
【００４８】
カラープリンタは、電子写真方式以外の例えばインクジェット式カラープリンタを用いるように本発明を変形してもよい。
多値画像データＤ１は、ラスタデータであっても良い。また、クライアント装置１０からプリンタ２０へ出力指示を送信する時に、多値画像データＤ１を同時に送信しても良い。
【００４９】
【発明の効果】
本発明によれば、本印刷の印刷機に近いスクリーン処理条件で処理された画像をカラープリンタで出力することができる。
【図面の簡単な説明】
【図１】本発明の第１実施形態にかかる構成を示す図である。
【図２】同実施形態にかかるコントローラ２０１の構成を示す図である。
【図３】同実施形態にかかるコントローラ２０１により実行される処理の流れを示すフロー図である。
【図４】本発明の第２実施形態にかかる構成を示す図である。
【図５】同実施形態にかかるコントローラ２０１ａの構成を示す図である。
【図６】同実施形態にかかるコントローラ２０１ａにより実行される処理の流れを示すフロー図である。
【図７】本発明の第３実施形態にかかる構成を示す図である。
【図８】同実施形態にかかるコントローラ２０１ｂの構成を示す図である。
【図９】同実施形態にかかるコントローラ２０１ｂにより実行される処理の流れを示すフロー図である。
【符号の説明】
２…ＬＡＮ、１０…クライアントＰＣ，２０…カラープリンタ、４０…ＲＩＰサーバ、５０…製版機、６０…印刷機、２０１…コントローラ、２０２…入出力部、２１…スクリーン条件判定手段、２２…ラスタ処理手段、２３…スクリーン処理手段、３１…ＲＯＭ、３２…ＲＡＭ、３３…送受信部、３４…記憶手段
【図１】
2005007753.tif 000003
【図２】
2005007753.tif 000004
【図３】
2005007753.tif 000005
【図４】
2005007753.tif 000006
【図５】
2005007753.tif 000007
【図６】
2005007753.tif 000008
【図７】
2005007753.tif 000009
【図８】
2005007753.tif 000010
【図９】
2005007753.tif 000011